(57)【特許請求の範囲】
【請求項１】
高速パケットアクセスが利用可能な通信装置（１００）であって、該通信装置（１００）は、各スロットでの専用物理制御チャネル送信における通常モードの送信に加え専用物理制御チャネル送信における低減モード及び更なる低減モードの送信に従って動作するよう構成されており、該低減モード及び該更なる低減モードにおける専用物理制御チャネル送信間の間隔は、それぞれ、長く及び更に長くなっており、該通信装置（１００）は、更に、閾値に到達するために予想される連続する専用物理データチャネル送信の回数を規定するための間隔を決定するよう構成されたタイマ（２０２）と、現在の連続する専用物理データチャネル送信の前記回数を前記間隔内で計数するよう構成されたカウンタ（２０４）と、を含む動作モード制御部（１０２、２００）を有し、
現在の連続する専用物理データチャネル送信の前記回数が前記閾値に到達する場合、動作モードを前記低減モードに設定し、
現在の連続する専用物理データチャネル送信の前記回数が前記閾値未満の場合、動作モードを前記更なる低減モードに設定する、
ように構成されることを特徴とする通信装置（１００）。
【請求項２】
前記タイマ（２０２）は、いかなる専用物理データチャネル送信もないイベントの後に専用物理データチャネル送信があるとき開始するよう構成され、前記タイマ（２０２）が開始されると前記カウンタ（２０４）のカウンタ値はリセットされ、前記タイマ（２０２）が満了するとき前記動作モードを設定するため前記カウンタ値が前記閾値と比較されるように、該カウンタ値は現在の連続する専用物理データチャネル送信の各々に対してインクリメントすることを特徴とする請求項１に記載の通信装置（１００）。
【請求項３】
前記イベントは、所定の時間期間の経過であることを特徴とする請求項２に記載の通信装置（１００）。
【請求項４】
前記イベントは、前記専用物理データチャネル送信の予想時刻における該専用物理データチャネル送信の不存在であることを特徴とする請求項２に記載の通信装置（１００）。
【請求項５】
前記間隔は、因数ｎと音声コーデックのフレーム間隔と前記閾値との積であることを特徴とする請求項１乃至４の何れか一項に記載の通信装置（１００）。
【請求項６】
前記専用物理データチャネル送信の予想時刻は、因数ｎと前記通信装置（１００）の音声コーデックのフレーム間隔との積に従うことを特徴とする請求項１乃至５の何れか一項に記載の通信装置（１００）。
【請求項７】
前記カウンタ値は、前記専用物理データチャネル送信の前記予想時刻で発生する現在の専用物理データチャネル送信の各々でインクリメントすることを特徴とする請求項６に記載の通信装置（１００）。
【請求項８】
高速パケットアクセスが利用可能な通信装置のための方法であって、該通信装置（１００）は、各スロットでの専用物理制御チャネル送信における通常モードの送信に加え専用物理制御チャネル送信における低減モード及び更なる低減モードの送信に従って動作するよう構成されており、該低減モード及び該更なる低減モードにおける専用物理制御チャネル送信間の間隔は、それぞれ、長く及び更に長くなっており、該方法は、
閾値に到達するために予想される連続する専用物理データチャネル送信の回数を規定するための間隔を決定することにより、現在の連続する専用物理データチャネル送信の回数を決定するステップ（３００）と、
いかなる専用物理データチャネル送信もないイベントの後に専用物理データチャネル送信があるときタイマを開始するステップ（４０４）と、
前記タイマが開始するときカウンタ値をリセットするステップ（４０６）と、
前記閾値に到達するために予想される連続する専用物理データチャネル送信の前記回数を規定するために、連続する専用物理データチャネル送信の各々に対して前記カウント値をインクリメントする（４０８）ことにより、現在の連続する専用物理データチャネル送信の前記回数を前記間隔内で計数するステップと、
現在の連続する専用物理データチャネル送信の前記回数が前記閾値に到達する場合、動作モードを前記低減モードに設定するステップ（３０４）と、
現在の連続する専用物理データチャネル送信の前記回数が前記閾値未満の場合、動作モードを前記更なる低減モードに設定するステップ（３０６）と、
を含むことを特徴とする方法。
【請求項９】
動作モードを設定する前記ステップ（３０４，３０６）は、前記動作モードを設定する（４１４、４１６）ため、前記タイマが満了するとき前記カウンタ値を前記閾値と比較するステップ（４１２）を含むことを特徴とする請求項８に記載の方法。
【請求項１０】
前記イベントは、所定の時間期間の経過であることを特徴とする請求項８又は９に記載の方法。
【請求項１１】
前記イベントは、前記専用物理データチャネル送信の予想時刻における該専用物理データチャネル送信の不存在であることを特徴とする請求項８又は９に記載の方法。
【請求項１２】
前記間隔は、因数ｎと音声コーデックのフレーム間隔と前記閾値との積であることを特徴とする請求項８乃至１１の何れか一項に記載の方法。
【請求項１３】
前記専用物理データチャネル送信の予想時刻は、因数ｎと音声コーデックのフレーム間隔との積に従うことを特徴とする請求項８乃至１１の何れか一項に記載の方法。
【請求項１４】
前記専用物理データチャネル送信の前記予想時刻で発生する現在の専用物理データチャネル送信の各々で前記カウンタ値をインクリメントするステップ（４０８）を更に含むことを特徴とする請求項８乃至１３の何れか一項に記載の方法。
【請求項１５】
プロセッサにより実行されたとき該プロセッサに請求項８乃至１４の何れか一項に記載の方法を実行させる命令を含むコンピュータプログラム・コードを含むコンピュータプログラム。
【発明の詳細な説明】
【技術分野】
【０００１】
本発明は、高速パケットアクセスが使用可能な通信装置に関し、当該装置は、専用物理制御チャネル送信における低減モード及び更なる低減モードの送信に従って動作するよう構成されている。本発明は、更に、当該通信装置のための方法およびコンピュータプログラムに関する。
【背景技術】
【０００２】
高速パケットアクセス機能は、ユニバーサル移動通信システム（ＵＭＴＳ）におけるもののように、連続的接続性を提供する。これを達成するアプローチは、ユーザ装置（ＵＥ）不連続送信（ＤＴＸ）であり、これはしばしばアップリンク（ＵＬ）専用物理制御チャネル（ＤＰＣＣＨ）ゲーティングと呼ばれる。ＵＬＤＰＣＣＨゲーティングにより、電力制御シグナリングは、ＤＰＣＣＨ送信の低減モードを達成するため周期的に送信される（ゲートされる）だけである。これは、ＵＥが送信するデータを有しているか否かに基づいてなされ得る。
【０００３】
国際公開ＷＯ２００７／０５３１０６は、”通常動作モード”または”低減動作モード”を選択するアプローチが開示しており、ここで、”通常動作モード”は、ＤＰＣＣＨ送信を各スロットで送出することを意味し、”低減動作モード”は、ＤＰＣＣＨ送信を最大電力で例えば４スロット毎においてのみ送出することを意味する。低減動作モードは、最大で６ｄＢの信号対干渉比の目標低減値に対応する低減値まで干渉を低減し得る。ＵＥが特定の時間期間に対して送信するデータを全く有さなかった場合、ＵＥは低減動作モードへ切り替わる。国際公開ＷＯ２００６／１２７３４０は、リバースリンク容量及びバッテリライフを改善するためにチャネル保守及びチャネル品質のシグナリングのためのアプローチを開示している。処理ユニットは、トランシーバを介してチャネル保守のシグナリングが送信される高レートチャネル保守モードに移行するのに適し、かつ、高レートチャネル保守モードに移行してから時間期間が経過したとき、又は、保守シグナリングに関連するフォワードリンクを介して所定数のパケットが受信されたとき、低レートチャネル保守モードに移行するのに適している。高レートチャネル保守モードへの再度の移行は、現在のハンドオフ状況、保守シグナリングに関連するフォワードリンクを介したデータの受信の開始、又は、低レートチャネル保守モードに移行してから次の周期的な高レート開始点までの残存時間の経過、を装置が検出したときになされる。
【０００４】
ゲーティング方式は、異なるサイクル長（すなわち、低減モードおよび更なる低減モード）を有する２つの異なるサイクルを有し得る。例えば、ＵＭＴＳは、そのような低減モードを２つ有することを指定している。所与の実施例において、専用物理データチャネル（ＤＰＤＣＨ）でのデータ送信の後、更なる低減動作モードで動作しうるＵＥは低減動作モードに移行する（すなわち、ＤＰＣＣＨ送信間サイクルはより短い間隔に設定される）。いくらかの時間の後、好適には何らかのタイマにより設定された又は特定の回数のＤＰＣＣＨ送信の後、ＵＥは、更なる低減動作モードに戻る（すなわち、ＤＰＣＣＨ送信間サイクルはより長い間隔に設定される）。他のＤＰＤＣＨ送信が発生するまで、ＵＥはこの更なる低減動作モードに保持され、同様の処理が繰り返される。
【０００５】
概して、更なる低減動作モードは、あまり強力でないＤＰＣＣＨ動作となるように構成される。この動作モードでは、もう一方の低減動作モードで利用可能なプリアンブルより長いプリアンブルを使用することもできる。この長いプリアンブルは、ＤＰＤＣＨ送信前の電力制御の調整に十分であると想定される。より短い間隔（すなわち、より強力なＤＰＣＣＨ動作）の場合、より短いプリアンブルで十分である。
【０００６】
２つの低減動作モードは元々は異なる送信シナリオを対象としており、より強力なＤＰＣＣＨ動作は短い間隔の頻繁なデータ送信をサポートし、あまり強力でないＤＰＣＣＨ動作はまばら又は大容量データのアプリケーションをサポートする。例えばアダプティブマルチレート（ＡＭＲ）符号化タイプのボイス・オーバ・インターネット・プロトコル（ＶｏＩＰ）のように周期的に送信するアプリケーションに対して、更なる低減動作モードを可能な限り使用することが有益である。所与の実施例において、音声フレームは２０ｍｓ毎に符号化され送信され、無音期間の間は無音挿入記述子（ＳＩＤ）フレームが１６０ｍｓ毎に送信される。これは、無音期間の間において、ＵＥは１６０ｍｓ毎に強力なＤＰＣＣＨ動作モードに移行し、ＵＥは次のＳＩＤフレームの送信まで、より弱い動作モードに戻る前にＤＰＣＣＨフレームのバーストを送出することを暗に示している。これは干渉を増加させるだけでなくＵＥの電力消費を増加させる。従って、改良されたゲーティング方法を提供したいという要望がある。
【発明の概要】
【０００７】
本発明は、周期的にデータ送信を行うアプリケーションにより不要なＤＰＣＣＨ送信が生成されるという理解に基づいている。発明者は、データ送信の履歴を観察することによって、何れの低減動作モードを使用するべきかを好適に決定可能であることを発見した。
【０００８】
第１の態様によれば、高速パケットアクセスが使用可能な通信装置が提供され、当該装置は、専用物理制御チャネル送信における低減モード及び更なる低減モードの送信に従って動作するよう構成され、動作モード制御部を有し、当該動作モード制御部は、現在の連続する専用物理データチャネル送信の回数を決定し、現在の連続する専用物理データチャネル送信の回数が閾値に到達する場合、動作モードを低減モードに設定し、現在の連続する専用物理データチャネル送信の回数が閾値未満の場合、動作モードを更なる低減モードに設定する、ように構成される。
【０００９】
実施例では、動作モード制御部は、閾値に到達するために予想される連続する専用物理データチャネル送信の回数を規定するための間隔を決定するよう構成されたタイマと、現在の連続する専用物理データチャネル送信の回数を間隔内で計数するよう構成されたカウンタと、を含む。実施例では、タイマは、いかなる専用物理データチャネル送信もないイベントの後に専用物理データチャネル送信があるとき開始するよう構成され得る。実施例では、カウンタのカウンタ値は、タイマが満了するとき動作モードを設定するためカウンタ値が閾値と比較されるように、タイマが開始され現在の連続する専用物理データチャネル送信の各々に対してインクリメントするときリセットされ得る。イベントは、所定の時間期間の経過、又は、専用物理データチャネル送信の予想時刻における該専用物理データチャネル送信の不存在であり得る。間隔は、因数ｎと音声コーデックのフレーム間隔と閾値との積であり得る。
【００１０】
実施例では、専用物理データチャネル送信の予想時刻は、因数ｎと通信装置の音声コーデックのフレーム間隔との積に従い得る。実施例では、カウンタ値は、専用物理データチャネル送信の予想時刻で発生する現在の専用物理データチャネル送信の各々でインクリメントし得る。
【００１１】
第２の態様によれば、高速パケットアクセスが使用可能な通信装置のための方法が提供され、当該通信装置は、専用物理制御チャネル送信における低減モード及び更なる低減モードの送信に従って動作するよう構成されており、当該方法は、現在の連続する専用物理データチャネル送信の回数を決定するステップと、現在の連続する専用物理データチャネル送信の回数が閾値に到達する場合、動作モードを低減モードに設定するステップと、現在の連続する専用物理データチャネル送信の回数が閾値未満の場合、動作モードを更なる低減モードに設定するステップと、を含む。
【００１２】
実施例では、現在の連続する専用物理データチャネル送信を決定するステップは、閾値に到達するために予想される連続する専用物理データチャネル送信の回数を規定するための間隔を決定するステップを含み得る。実施例では、現在の連続する専用物理データチャネル送信を決定するステップは、いかなる専用物理データチャネル送信もないイベントの後に専用物理データチャネル送信があるときタイマを開始するステップと、タイマが開始するときカウンタ値をリセットするステップと、連続する専用物理データチャネル送信の各々に対してカウント値をインクリメントすることにより、現在の連続する専用物理データチャネル送信の回数を間隔内で計数するステップと、を更に含み得る。実施例では、動作モードを設定するステップは、動作モードを設定するため、タイマが満了するときカウンタ値を閾値と比較するステップを含み得る。実施例では、イベントは、所定の時間期間の経過、又は、専用物理データチャネル送信の予想時刻における該専用物理データチャネル送信の不存在であり得る。実施例では、間隔は、因数ｎと音声コーデックのフレーム間隔と閾値との積であり得る。
【００１３】
実施例では、専用物理データチャネル送信の予想時刻は、因数ｎと音声コーデックのフレーム間隔との積に従い得る。実施例では、専用物理データチャネル送信の予想時刻で発生する現在の専用物理データチャネル送信の各々でカウンタ値をインクリメントするステップを更に含み得る。
【００１４】
第３態様によれば、プロセッサにより実行されたとき該プロセッサに第２の態様に従った方法を実行させる命令を含むコンピュータプログラム・コードを含むコンピュータプログラムが提供される。
【００１５】
本発明の実施例の利点は、より高い程度で更なる低減モードにとどまることを可能にし、それにより少ない干渉およびより少ない電力消費を可能にする。
【００１６】
本発明の実施例の利点は、実行される動作において、適切な動作モード決定に対して、複雑な計算及び電力消費する計算をもたらさない相当に単純な方法が提供されることである。
【図面の簡単な説明】
【００１７】
【図１】実施例に従った通信装置を概念的に示すブロック図である。
【図２】実施例に従った動作モード制御部を概念的に示すブロック図である。
【図３】実施例に従った方法を概念的に示すフローチャートである。
【図４】実施例に従った方法を概念的に示すフローチャートである。
【図５】実施例に従ったコンピュータ可読媒体を概念的に示す図である。
【発明を実施するための形態】
【００１８】
図１は、実施例に従った通信装置１００を概念的に示すブロック図である。本発明の特徴が不明瞭にならないように、通信装置１００の固有の特徴（例えば、アンテナ、トランシーバ、エンコーダ、デコーダ、シグナルプロセッサ、可能なユーザインタフェース、その他）は図では省略している。通信装置１００は、例えば携帯電話であるが、ネットワークノード、パソコンの通信カードまたは高速パケットアクセスを提供する通信システム内で動作する他のエンティティであっても良い。通信装置１００は、無線で通信を実行するように構成され、専用物理制御チャネル送信が各スロットで実行される専用物理制御チャネル送信における通常モードの送信に加え、専用物理制御チャネル送信（すなわち、制御情報送信）における低減モード及び更なる低減モードの送信に従って動作するよう構成されている。専用物理制御チャネル送信の送信の動作モードの中から動作モードを選択するため、動作モード制御部１０２が提供される。動作モード制御部は、連続する専用物理データチャネル送信（すなわちデータ送信）の回数を決定するように構成される。連続するデータ送信のこの回数は、効率的な動作モードを決定するためのトラフィック履歴の基準として使われる。これは、連続する専用物理データチャネル送信の回数が所定の閾値に到達するか否かを観測することにより実行される。当該閾値は、例えば、３回の連続した専用物理データチャネル送信であり得る。３回連続する場合、動作モード制御部１０２は、動作モードを低減モードに設定し、それは、更なる低減モードと比較しＤＰＣＣＨ送信間の間隔がより短い、より強力なＤＰＣＣＨ動作を有する低減されたモードである。連続するデータ送信の回数が所定の閾値に到達しない場合、動作モード制御部１０２は、動作モードを更なる低減モードに設定し、それは、低減モードと比較しＤＰＣＣＨ送信間の間隔がより長い、より弱いＤＰＣＣＨ動作を有する低減されたモードである。これにより、特定量の連続データトラフィックがない限り、通信装置１００は低減モードに移行すること無く、可能な限り更なる低減モードにとどまる。これは、より少ない干渉およびより少ない電力消費をもたらす。
【００１９】
図２は、実施例に従った動作モード制御部２００を概念的に示すブロック図である。動作モード制御部２００は、タイマ２０２およびカウンタ２０４を含む。タイマ２０２は、閾値に到達するために予想される連続するデータ送信の回数を規定する間隔を決定するように構成される。この間隔は、例えば、データ送信のフレーム間隔を閾値に到達するための連続するデータ送信の回数により乗じたものであり得る（すなわち、フレーム間隔×閾値）。フレーム間隔は、例えば、通信装置の音声コーデックのフレーム間隔であり得る。間隔は、また、フレーム間隔に因数ｎを乗じたものであり得る。このように、フレーム間隔は、予想されるデータ送信の時刻を規定する。タイマ２０２は、いかなるデータ送信もないイベントの後（例えば、１回以上のデータ送信が存在しない期間の後の最初のデータ送信のとき）開始される。カウンタ２０４は、間隔内にある現在のデータ送信の回数を計数するように構成される。タイマ２０２が開始されるとき、カウンタ２０４はリセットされ、タイマ２０２が動作しているとき、間隔内での現在のデータ送信の各々に対してインクリメントする。タイマ２０２の間隔が経過するとき、カウンタ２０４の値は閾値と照合され、カウンタ値が閾値に到達している場合、低減モードが設定され、そうでない場合は、更なる低減モードが設定される。
【００２０】
図３は、実施例に従った方法を概念的に示すフローチャートである。データ送信決定ステップ３００において、現在の連続するデータ送信の回数が決定される。比較ステップ３０２において、連続するデータ送信の回数が閾値に到達したか否か決定するため、連続するデータ送信の決定された回数は閾値と比較される。到達した場合は、低減モード設定ステップ３０４において、動作モードは低減モードに設定される。到達していない場合は、更なる低減モード設定ステップ３０６において、動作モードは更なる低減モードに設定される。フローチャートは、動作モード選択の原則の理解を目的とした説明のためのものである点に留意する必要がある。実際には、当該方法は、好適にはリアルタイムで実行され、手順は、発生及び利用可能データに依存して異なる状態間を遷移し、動作は並列に実行され得る。
【００２１】
図４は、実施例に従った方法を概念的に示すフローチャートである。インターバル決定ステップ４００において、上述したように、閾値に到達するために予想される連続するデータ送信の回数を規定するために時間間隔が決定される。時間間隔は最初のデータ送信から、データ送信が無い期間の後の、閾値に到達するための期待される連続するデータ送信の回数が存在する時刻までである。従って、送信チェックのステップ４０２において、データ送信が無い期間の後、最初のデータ送信が存在するか否かがチェックされる。データ送信が無い場合、この種のデータ送信が存在するまで当該チェックは繰り返される。この種のデータ送信が存在する場合、タイマ開始ステップ４０４によりタイマが開始され、同時に、カウンタリセットステップ４０６によりカウンタがリセットされる。間隔の間、カウンタインクリメントのステップ４０８において、現在のデータ送信の各々に対してカウンタがインクリメントされる。インターバルチェックのステップ４１０において、時間間隔が経過したか否かがチェックされる。経過していない場合には、カウンタインクリメントのステップ４０８は、現在のデータ送信のチェック、及び、存在する場合のインクリメントをし続ける。間隔が経過した場合には、カウンタチェックのステップ４１２において、カウンタ値が閾値に到達しているか否かがチェックされる。到達している場合、低減モード設定ステップ４１４において動作モードは低減モードに設定される。到達していない場合、更なる低減モード設定ステップ４１６において動作モードは更なる低減モードに設定される。フローチャートは、動作モード選択の原則の理解を目的とした説明のためのものである点に留意する必要がある。実際には、当該方法は、好適にはリアルタイムで実行され、手順は、発生及び利用可能データに依存して異なる状態間を遷移し、動作は並列に実行され得る。
【００２２】
図５は、実施例に従ったコンピュータ可読媒体５００を概念的に示す図である。現在の通信装置の動作はコンピュータ化された信号処理に大きく依存するため、上述された方法の実施例は、処理手段（例えばコンピュータおよび／またはプロセッサ）により補助される実施例に適している。従って、処理手段、プロセッサまたはコンピュータに、図３または図４の何れかを参照して記載されている実施例の何れかに従った方法の何れかのステップを実行させるように構成された命令を含む、通信装置において提供されるコンピュータプログラムがある。コンピュータプログラムは、好適には、図３または図４の何れかを参照して記載されている実施例に従った方法を実行するように、処理手段、プロセッサまたはコンピュータ５０２によってロードされ実行され得る、図５に示すようにコンピュータ可読媒体５００に格納されるプログラムコードを含む。コンピュータ５０２およびコンピュータ・プログラム製品５００は、プログラムコードを順次実行する（あらゆる方法の動作がステップ形式で実行される）ように構成され得るが、多くの場合、プログラムコードをリアルタイムで実行する（あらゆる方法の動作が、必要なとき、データが利用可能なとき実行される）ように構成される。処理手段、プロセッサまたはコンピュータ５０２は、好適には、組込みシステムと称されるものである。このように、図５で図示されたコンピュータ可読媒体５００およびコンピュータ５０２は、原理の理解を目的とした説明のためのものであり、要素のいかなる直接の具体例としても解釈されるものでは無いと解釈されるべきである。
【図１】
0005162705.tif 000002
【図２】
0005162705.tif 000003
【図３】
0005162705.tif 000004
【図４】
0005162705.tif 000005
【図５】
0005162705.tif 000006